(57)【要約】【課題】選針ドラムを容易に取り外すことができる横編機を提供する。【解決手段】前後一対の選針ドラム２Ｆ，２Ｂと、選針ドラム２Ｆ，２Ｂの軸方向の一端側と他端側に配置される一対の外壁部３Ｌ，３Ｒと、を備える横編機１である。この横編機１は、一対の外壁部３Ｌ，３Ｒの間で、選針ドラム２Ｆ，２Ｂをその軸方向の両側から挟み込む一対の内側支持壁部４Ｌ，４Ｒと、選針ドラム２Ｆ，２Ｂを内側支持壁部４Ｌ，４Ｒに回転可能に軸支するドラム支持軸５Ｆ，５Ｂと、を備える。ドラム支持軸５Ｆ，５Ｂは、選針ドラム２Ｆ，２Ｂに挿抜自在に構成される。【選択図】図１
2019073813.tif 000002
【特許請求の範囲】
【請求項１】
前後一対の選針ドラムと、前記選針ドラムの軸方向の一端側と他端側に配置される一対の外壁部と、を備える横編機において、
一対の前記外壁部の間で、前記選針ドラムをその軸方向の両側から挟み込む一対の内側支持壁部と、
前記選針ドラムを前記内側支持壁部に回転可能に軸支するドラム支持軸と、を備え、
前記ドラム支持軸は、前記選針ドラムに挿抜自在に構成される横編機。
【請求項２】
前記ドラム支持軸は、
一方の前記内側支持壁部に挿抜自在に設けられ、前記選針ドラムをその軸方向の一端側から支持する可動支持ピンと、
他方の前記内側支持壁部に不動に固定され、前記選針ドラムをその軸方向の他端側から支持する固定支持ピンと、を備える請求項１に記載の横編機。
【請求項３】
前記選針ドラムは、その軸方向の端部に前記選針ドラムを回転させる従動ギアを備える請求項１または請求項２に記載の横編機。
【請求項４】
一対の前記外壁部間を繋ぐ前後一対のステーを備え、
前記ステーに前記内側支持壁部が固定されている請求項１から請求項３のいずれか１項に記載の横編機。
【請求項５】
前記選針ドラムの外周面に形成され、選針を行う選針ピンが嵌め込まれる複数のピン溝と、
前記外周面に設けられ、前記ピン溝に平行で、かつ前記ピン溝よりも大きな開口幅と深さを有する逃がし溝と、を備える請求項１から請求項４のいずれか１項に記載の横編機。
【発明の詳細な説明】
【技術分野】
【０００１】
本発明は、編針の選針に選針ドラムを用いる横編機に関する。
【背景技術】
【０００２】
少なくとも前後一対の針床を備える横編機として、針床に列設される編針の選針に一対の選針ドラムを使用する横編機が知られている。例えば、特許文献１の横編機は、選針ドラムの軸方向に伸び、周方向に並列される複数の選針ピンにより編針を選針する横編機である。また、特許文献２の横編機は、選針ドラムの周方向に伸び、軸方向に並列される複数のカムプレートにより編針を選針する横編機である。
【０００３】
図７は、一対の選針ドラム２０Ｆ，２０Ｂを備える横編機１０の概略三面図（（Ａ）は正面図、（Ｂ）は上面図、（Ｃ）は側面図）である。この横編機１０は、図示しない架台上に、針床などを備えた編成ユニット１０Ｕを設置することで構成される。編成ユニット１０Ｕは、選針ドラム２０Ｆ，２０Ｂをその軸方向から挟み込むように配置される一対の外壁部３０Ｌ，３０Ｒと、両外壁部３０Ｌ，３０Ｒの間に配置される複数のレール７０Ａ及びステー９０と、を備える（図７（Ｂ）ではレール７０Ａを省略している）。レール７０Ａには図示しないキャリッジが走行可能に取り付けられており、ステー９０には二点鎖線で示す選針ドラム２０Ｆ，２０Ｂが回転可能に支持されている。選針ドラム２０Ｆ，２０Ｂの上部には、編針を有する針床６０Ｆ，６０Ｂ（一点鎖線参照）が設けられ、その針床上をキャリッジが走行することで、編地を編成することができる。針床６０Ｆ，６０Ｂは、外壁部３０Ｌ，３０Ｒ間をわたる長さを有し、外壁部３０Ｌ，３０Ｒに固定されている。
【先行技術文献】
【特許文献】
【０００４】
【特許文献１】特開２０１０−２４２２４４号公報
【特許文献２】特開平１０−７７５５７号公報
【発明の概要】
【発明が解決しようとする課題】
【０００５】
図７に示す従来の選針ドラムを備える横編機１０では、選針ドラム２０Ｆ，２０Ｂを取り外すことを想定した構造となっていなかった。そのため、今まで編成していた編地とは異なる形状の編地を編成する場合、選針ドラム２０Ｆ，２０Ｂを横編機１０に取り付けたまま、選針ピンやカムプレートの植え替えを行っていた。選針ドラム２０Ｆ，２０Ｂは横編機１０の外部に殆ど露出していないため、この植え替えは非常に手間がかかる。一方、選針ドラム２０Ｆ，２０Ｂを取り外して選針ピンの植え替えを行う、あるいは別の選針ドラムに交換する場合、外壁部３０Ｌ，３０Ｒの連結を解除して外壁部３０Ｌ，３０Ｒを架台から取り外さなければならない。つまり、編成ユニット１０Ｕを分解しなければならず、その分解作業に手間がかかる。
【０００６】
本発明は、上記事情に鑑み、選針ドラムを容易に取り外すことができる横編機を提供することを目的の一つとする。
【課題を解決するための手段】
【０００７】
本発明の横編機は、
前後一対の選針ドラムと、前記選針ドラムの軸方向の一端側と他端側に配置される一対の外壁部と、を備える横編機において、
一対の前記外壁部の間で、前記選針ドラムをその軸方向の両側から挟み込む一対の内側支持壁部と、
前記選針ドラムを前記内側支持壁部に回転可能に軸支するドラム支持軸と、を備え、
前記ドラム支持軸は、前記選針ドラムに挿抜自在に構成される。
【０００８】
本発明の横編機の一形態として、
前記ドラム支持軸は、
一方の前記内側支持壁部に挿抜自在に設けられ、前記選針ドラムをその軸方向の一端側から支持する可動支持ピンと、
他方の前記内側支持壁部に不動に固定され、前記選針ドラムをその軸方向の他端側から支持する固定支持ピンと、を備える形態を挙げることができる。
【０００９】
本発明の横編機の一形態として、
前記選針ドラムは、その軸方向の端部に前記選針ドラムを回転させる従動ギアを備える形態を挙げることができる。
【００１０】
本発明の横編機の一形態として、
一対の前記外壁部間を繋ぐ前後一対のステーを備え、
前記ステーに前記内側支持壁部が固定されている形態を挙げることができる。
【００１１】
本発明の横編機の一形態として、
前記選針ドラムの外周面に形成され、選針を行う選針ピンが嵌め込まれる複数のピン溝と、
前記外周面に設けられ、前記ピン溝に平行で、かつ前記ピン溝よりも大きな開口幅と深さを有する逃がし溝と、を備える形態を挙げることができる。
【発明の効果】
【００１２】
内側支持壁部を設けることで、外壁部を架台から取り外すことなく、選針ドラムを取り外すことができる。そのため、選針ドラムにおける選針ピンやカムプレートの取り替えを容易にできる。
【００１３】
また、内側支持壁部を設けることで、針床の長さを従来よりも短くして、その短くした針床を外壁部ではなく内側支持壁部に取り付けることができる。従来よりも針床を短くすることで、横編機の軽量化を図ることができる。
【００１４】
選針ドラムを支持するドラム支持軸を左右一対の支持ピンとすると共に、一方の支持ピン（可動支持ピン）を抜き差し自在とし、他方の支持ピン（固定支持ピン）を内側支持壁部に固定とすることで、内側支持壁部に対する選針ドラムの取付・取り外しを容易にできる。
【００１５】
選針ドラムの端部に従動ギアを一体に設けることで、選針ドラムを取り付ける際に従動ギアと選針ドラムとを連結する手間を低減できる。
【００１６】
一対の外壁部を繋ぐステー上に内側支持壁部をマウントすることで、外壁部・内側支持壁部・選針ドラムを一体物として扱うことができ、横編機の生産性を向上できる。
【００１７】
選針ドラムに逃がし溝を形成することで、選針ドラムの着脱を容易にできる。選針ドラムの着脱時に、選針ドラムの逃がし溝を編針の制御ジャックに対応する位置に合わせることで、選針ドラムをその軸方向にスライドさせても、選針ドラムが制御ジャックに干渉し難く、選針ドラムのスライドが容易になる。
【図面の簡単な説明】
【００１８】
【図１】実施形態に係る横編機の概略正面図である。
【図２】実施形態に係る横編機の概略上面図である。
【図３】実施形態に係る横編機の概略側面図である。
【図４】実施形態に係る横編機の選針に関連する部材の係合状態を示す概略構成図である。
【図５】実施形態に係る横編機の選針ドラムと内側支持壁部との係合状態を示す概略構成図である。
【図６】実施形態に示す選針ドラムと編針との係合状態を示す概略構成図である。
【図７】従来の横編機の概略三面図であって、（Ａ）は正面図、（Ｂ）は上面図、（Ｃ）は側面図である。
【発明を実施するための形態】
【００１９】
＜実施形態１＞
以下、選針ドラムを有する横編機の実施形態の一例として、図１〜図６に示す手袋編機を説明する。図中の符号の語尾に『Ｆ』、『Ｂ』、『Ｌ』、または『Ｒ』が付く部材はそれぞれ、横編機１の『前側』、『後側』、『左側』、または『右側』に配置される部材である。
【００２０】
図１〜図３に示すように、本例の横編機１は、従来の横編機と同様、架台１００上に編成ユニット１Ｕを設置した構成を備える。編成ユニット１Ｕは、前後一対の選針ドラム２Ｆ，２Ｂと、選針ドラム２Ｆ，２Ｂの軸方向の一端側と他端側に配置される一対の外壁部３Ｌ，３Ｒと、を備える。本例の横編機１の編成ユニット１Ｕはさらに、一対の外壁部３Ｌ，３Ｒの間で、選針ドラム２Ｆ，２Ｂをその軸方向の両側から挟み込む一対の内側支持壁部４Ｌ，４Ｒを備える。以下、横編機１の各構成を詳細に説明する。
【００２１】
≪外壁部≫
本例の外壁部３Ｌ，３Ｒは、図７の従来の横編機１０の外壁部３０Ｌ，３０Ｒと同様の位置に設けられる部材である。つまり、外壁部３Ｌ，３Ｒは、横編機１の編成ユニット１Ｕの左右の端部を構成する部材であって、外壁部３Ｌ，３Ｒによって横編機１の左右の大きさが決まる。また、外壁部３Ｌ，３Ｒは、架台１００（図１，３）に編成ユニット１Ｕを固定するための部材でもある。架台１００の内部には、キャリッジ７Ｆ，７Ｂなどの駆動源や、編成を制御する制御部、手袋の排出口などが設けられている。
【００２２】
外壁部３Ｌ，３Ｒの間にはステー９Ｆ，９Ｂが設けられており、両者はネジｂ１で固定されている。このステー９Ｆ，９Ｂによって外壁部３Ｌ，３Ｒの間隔が保持されると共に、外壁部３Ｌ，３Ｒが分解しないように支持される。ここで、図７に示す従来の横編機１０のステー９０は、外壁部３０Ｌ，３０Ｒを連結すると共に、選針ドラム２０Ｆ，２０Ｂを支持するものでもあった。しかし、本例におけるステー９Ｆ，９Ｂは、外壁部３Ｌ，３Ｒを連結するが、選針ドラム２Ｆ，２Ｂを支持することはない。
【００２３】
≪内側支持壁部≫
横編機１に備わる内側支持壁部４Ｌ，４Ｒは、従来にない部材であって、既に述べたように、外壁部３Ｌ，３Ｒの間に配置される。内側支持壁部４Ｌ，４Ｒは、選針ドラム２Ｆ，２Ｂをその軸方向の両側から挟み込むように配置されており、この内側支持壁部４Ｌ，４Ｒには、後述するドラム支持軸５Ｆ，５Ｂを介して選針ドラム２Ｆ，２Ｂが回転可能に支持されている。ここで、各選針ドラム２Ｆ（２Ｂ）は、ドラム支持軸５Ｆ（５Ｂ）に対して回転し、ドラム支持軸５Ｆ，５Ｂは内側支持壁部４Ｌ，４Ｒに対して回転しない。
【００２４】
この内側支持壁部４Ｌ，４Ｒは、外壁部３Ｌ，３Ｒを連結するステー９Ｆ，９Ｂ上にマウントされ、ネジｂ２で固定されている。この構成によれば、外壁部３Ｌ，３Ｒと内側支持壁部４Ｌ，４Ｒとステー９Ｆ，９Ｂとを一体に扱える編成ユニット１Ｕとすることができる。架台１００上に外壁部３Ｌ，３Ｒなどの部材を順次組付けていくよりも、編成ユニット１Ｕを組み立ててその編成ユニット１Ｕを架台１００に設置する方が、効率的に横編機１を製造することができる。
【００２５】
内側支持壁部４Ｌ，４Ｒを備える横編機１では、図４に示すように、複数の編針が列設される針床６Ｆ，６Ｂが内側支持壁部４Ｌ，４Ｒに固定されている。針床６Ｆ，６Ｂは、選針ドラム２Ｆ，２Ｂに対応する長さがあれば良い。本例では、図１の一点鎖線で示すように、針床６Ｆ（６Ｂも同様）の長さは、内側支持壁部４Ｌの外端面と内側支持壁部４Ｒの外端面との間の長さとほぼ同じとなっており、外壁部３Ｒ，３Ｌの位置にまで及んでいない。そのため、本例の横編機１の針床６Ｆ，６Ｂは、従来の横編機１０（図７）の針床よりも３０％以上短くなっている。針床６Ｆ，６Ｂが従来よりも短くなっていることで、本例の横編機１は、従来の横編機１０よりも軽量となる。針床６Ｆ，６Ｂが短く、軽いことで、針床６Ｆ，６Ｂの材料の削減に伴うコストの削減に加えて、針床６Ｆ，６Ｂを扱い易くできるので、横編機１の生産性を向上させることができる。
【００２６】
一方、図４に示すように、針床６Ｆ，６Ｂ上を走行するキャリッジ７Ｆ，７Ｂは、外壁部３Ｌ，３Ｒ間に架け渡されるレール７Ａ上にスライド自在に取り付けられている。レール７Ａは、針床６Ｆ側と針床６Ｂ側とにそれぞれ２本ずつ、合計４本設けられており、レール７Ａの軸線は、針床６Ｆ，６Ｂの長さ方向に平行となっている。レール７Ａ上のキャリッジ７Ｆ，７Ｂは、針床６Ｆ，６Ｂにおける選針された編針６０（図４では針床６Ｂ側の編針６０を省略）をその延伸方向に沿って移動させるカムを備えている。そのため、キャリッジ７Ｆ，７Ｂは、針床６Ｆ，６Ｂにおける編針６０が並べられている編針形成領域を確実に通過できるようにしておかなければならない。そのためには、図１に示すように、編針形成領域Ｒ１の外側にキャリッジ７Ｆ，７Ｂ（図４）の退避領域Ｒ２，Ｒ３を確保しておく必要がある。つまり、内側支持壁部４Ｌ（４Ｒ）と外壁部３Ｌ（３Ｒ）との間の空間は決して無駄な空間ではない。
【００２７】
≪ドラム支持軸≫
ドラム支持軸５Ｆ，５Ｂは、内側支持壁部４Ｌ，４Ｒに対して選針ドラム２Ｆ，２Ｂを支持する部材である。両ドラム支持軸５Ｆ，５Ｂは同一の構成を備えるため、以降の説明では図５を参照し、ドラム支持軸５Ｆの構成を説明する。
【００２８】
本例のドラム支持軸５Ｆは、互いに離隔した可動支持ピン５０と固定支持ピン５１とで構成されている。可動支持ピン５０は、一方の内側支持壁部４Ｌに挿抜自在に設けられ、選針ドラム２Ｆをその軸方向の一端側から支持する。選針ドラム２Ｆの一端側には可動支持ピン５０が挿入される嵌合孔２ｈＬが設けられ、その嵌合孔２ｈＬの内周にはボールベアリングなどで構成される軸受部２０が設けられており、可動支持ピン５０に対して選針ドラム２Ｆが回転可能となっている。上記可動支持ピン５０は、図３に示すように、外壁部３Ｌを貫通しており、外壁部３Ｌに対しても挿抜自在に構成されている。
【００２９】
一方、固定支持ピン５１は、他方の内側支持壁部４Ｒに不動に固定され、選針ドラム２Ｆをその軸方向の他端側から支持する。選針ドラム２Ｆの他端側には固定支持ピン５１が挿入される嵌合孔２ｈＲが設けられ、その嵌合孔２ｈＲの内周には軸受部２１が設けられており、固定支持ピン５１に対して選針ドラム２Ｆが回転可能になっている。可動支持ピン５０の軸線と固定支持ピン５１の軸線とは一致している。
【００３０】
上記構成によれば、可動支持ピン５０を内側支持壁部４Ｌに固定するネジｂ３を緩めて、可動支持ピン５０の先端を選針ドラム２Ｆの嵌合孔２ｈＬから抜き、選針ドラム２Ｆを内側支持壁部４Ｌ側にスライドさせて、固定支持ピン５１の先端を嵌合孔２ｈＲから抜くだけで、選針ドラム２Ｆを取り外すことができる。このときの選針ドラム２Ｆのスライドを容易にする構成として、選針ドラム２Ｆに逃がし溝２４（図６）を形成することが好ましい。逃がし溝２４の詳しい構成については後述する。
【００３１】
≪選針ドラムの回動機構≫
選針ドラム２Ｆ，２Ｂを備える横編機１では、図４に示すように、選針ドラム２Ｆ（２Ｂ）を回転させることで、選針される編針６０を変化させる。本例における選針ドラム２Ｆ（２Ｂ）を回転させる回動機構は、モータなどの回転力を発生させる駆動装置８Ｆ（８Ｂ）と、その回転力を伝達する主動ギア８Ｇおよび従動ギア２Ｇと、を備える。主動ギア８Ｇは、モータの回転軸の先端に固定されている。一方、従動ギア２Ｇは、選針ドラム２Ｆ（２Ｂ）における固定支持ピン５１側に固定されている。
【００３２】
上記構成によれば、図５に示すように、選針ドラム２Ｆを取り外す際に選針ドラム２Ｆを内側支持壁部４Ｌ側にスライドさせることで、選針ドラム２Ｆの従動ギア２Ｇと、駆動装置８Ｆの主動ギア８Ｇとの噛み合わせを解除することができる。また、従動ギア２Ｇをネジｂ４で選針ドラム２Ｆに固定しておくことで、選針ドラム２Ｆの着脱時に選針ドラム２Ｆに従動ギア２Ｇを着脱する手間を無くすことができる。
【００３３】
≪選針ドラムのスライド着脱を容易にする構成≫
本例の横編機１では、図６に示すように、選針ドラム２Ｆの外周面に逃がし溝２４を備える。逃がし溝２４は、選針ドラム２Ｆをスライド着脱する際、選針ドラム２Ｆに干渉する可能性のある部材（後述する制御ジャック６１）が選針ドラム２Ｆに接触しないようにするための溝である。選針ドラム２Ｆにはもともと、選針を行なう選針ピン２２と、その選針ピン２２を嵌め込むピン溝２３と、が設けられている。選針ピン２２が、編針６０の制御ジャック６１に備わる係合部６２を押し上げることで、編針６０が選針される。制御ジャック６１は、自身のバネ性によって選針ドラム２Ｆに近づく方向に付勢されているため、選針ドラム２Ｆをその軸方向（図６の紙面奥行き方向）にスライドさせると、係合部６２が選針ピン２２やピン溝２３に接触するなどして、選針ドラム２Ｆをスライドさせ難くなる恐れがある。そこで、本例では、選針ドラム２Ｆをその軸方向にスライドさせ易くするために、選針ドラム２Ｆの外周面に逃がし溝２４を設けている。
【００３４】
逃がし溝２４は、ピン溝２３に平行で、かつピン溝２３よりも大きな開口幅と深さを有している。より具体的には、逃がし溝２４は、選針ドラム２Ｆの一端面から他端面に及ぶ一直線状の溝である。また、この逃がし溝２４の位置に制御ジャック６１の係合部６２を位置させたときに、係合部６２が逃がし溝２４に引っ掛からないように逃がし溝２４の開口幅と深さが設定されている。つまり、逃がし溝２４は、その内部に係合部６２を収容する大きさになっている。
【００３５】
≪効果≫
以上説明した実施形態の横編機１によれば、内側支持壁部４Ｌ，４Ｒを設けたことで、選針ドラム２Ｆ，２Ｂの着脱を容易にできる。そのため、編地を編成するための選針ピン２３の植え替えや選針ドラム２Ｆ，２Ｂの取り替えを容易に行なうことができ、編地（手袋）のサイズやデザインを容易に変更できる。
【００３６】
また、実施形態の横編機１は、従来よりも短い針床６Ｆ，６Ｂ（図１）を備えているため、従来の横編機よりも軽量で生産性に優れる。
【００３７】
＜その他の実施形態＞
横編機１のドラム支持軸５Ｆ，５Ｂは、実施形態１の構成に限定されない。例えば、選針ドラム２Ｆ，２Ｂの軸方向の一端側と他端側を支持する支持ピンが共に可動支持ピン５０であっても構わない。また、一方の内側支持壁部４Ｌから他方の内側支持壁部４Ｒに至る一本のシャフトで各ドラム支持軸５Ｆ（５Ｂ）を構成することもできる。
【００３８】
横編機１の選針ドラム２Ｆ，２Ｂの回動機構は、実施形態１の構成に限定されない。例えば、タイミングベルトを用いた回動機構などを利用することができる。この場合、選針ドラム２Ｆ（２Ｂ）の端部に設けられるプーリと、モータの回転軸と、にタイミングベルトを掛け渡すことで回動機構が構成される。
【００３９】
実施形態１では内側支持壁部４Ｌ，４Ｒがステー９０上に固定されているが、架台１００に固定しても構わない。
【符号の説明】
【００４０】
１  横編機
１Ｕ  編成ユニット
２Ｆ，２Ｂ  選針ドラム  ２Ｇ  従動ギア
２ｈＬ，２ｈＲ  嵌合孔
２０，２１  軸受部  ２２  選針ピン  ２３  ピン溝  ２４  逃がし溝
３Ｌ，３Ｒ  外壁部
４Ｌ，４Ｒ  内側支持壁部
５Ｆ，５Ｂ  ドラム支持軸
５０  可動支持ピン  ５１  固定支持ピン
６Ｆ，６Ｂ  針床
６０  編針  ６１  制御ジャック  ６２  係合部
７Ｆ，７Ｂ  キャリッジ  ７Ａ  レール
８Ｆ，８Ｂ  駆動装置（モータ）  ８Ｇ  主動ギア
９Ｆ，９Ｂ  ステー
ｂ１，ｂ２，ｂ３，ｂ４  ネジ
Ｒ１  編針形成領域  Ｒ２，Ｒ３  退避領域
１０  横編機
１０Ｕ  編成ユニット
２０Ｆ，２０Ｂ  選針ドラム
３０Ｌ，３０Ｒ  外壁部
６０Ｆ，６０Ｂ  針床
７０Ａ  レール
９０  ステー
１００  架台
【図１】
2019073813.tif 000003
【図２】
2019073813.tif 000004
【図３】
2019073813.tif 000005
【図４】
2019073813.tif 000006
【図５】
2019073813.tif 000007
【図６】
2019073813.tif 000008
【図７】
2019073813.tif 000009